(57)【要約】【課題】満充電状態でバッテリを充電するモードを使用しても、満充電状態よりも低い充電状態においてバッテリを充電するモードに自動的に切り替える。【解決手段】本発明は、バッテリと、前記バッテリを満充電状態にまで充電する第１のモードと、前記バッテリを前記満受電状態よりも低い状態で充電する第２のモードとを有する制御手段（１３）と、前記第１のモードにより前記バッテリを満充電状態まで充電したことを検出する手段（１１）と、前記バッテリが満充電状態まで充電されたことを検出した場合に、前記制御手段による制御を前記第１のモードから前記第２のモードへ切り替える手段（１１，３１）とを具備する電子機器、である。【選択図】    図１
2004159382.tif 000002
【特許請求の範囲】
【請求項１】
バッテリと、
前記バッテリを満充電状態にまで充電する第１のモードと、前記バッテリを前記満充電状態よりも低い充電状態まで充電する第２のモードとを有する制御手段と、
前記第１のモードにより前記バッテリを満充電状態まで充電したことを検出する手段と、
前記バッテリが満充電状態まで充電されたことを検出した場合に、前記制御手段による制御を前記第１のモードから前記第２のモードへ切り替える手段と
を具備することを特徴とする電子機器。
【請求項２】
前記電子機器の電源がオフの状態においても操作可能なボタンをさらに具備し、
前記ボタンを操作することにより、前記制御手段により、前記第１のモードによる前記バッテリの充電を開始することを特徴とする請求項１記載の電子機器。
【請求項３】
前記ボタンは、電子機器の筐体表面に設けられていることを特徴とする請求項２記載の電子機器。
【請求項４】
前記制御手段により、前記第１のモードによる前記バッテリの充電を開始させるユーザインターフェイスをさらに具備することを特徴とする請求項１記載の電子機器。
【請求項５】
前記バッテリの残量を表示する手段をさらに具備し、
前記表示手段は、前記第２のモードにおける充電状態を基準として前記バッテリの残量を表示することを特徴とする請求項１記載の電子機器。
【請求項６】
バッテリと、前記バッテリを満充電状態にまで充電する第１のモードと、前記バッテリを前記満受電状態よりも低い充電状態まで充電する第２のモードとを有する制御手段とを具備する電子機器における充電制御方法において、
前記第１のモードにより前記バッテリを満充電状態まで充電したことを検出し、
前記バッテリが満充電状態まで充電されたことを検出した場合に、前記制御手段による制御を前記第１のモードから前記第２のモードへ切り替えることを特徴とする充電制御方法。
【請求項７】
前記電子機器は、前記電子機器の電源がオフの状態においても操作可能なボタンをさらに具備し、
前記ボタンを操作することにより、前記制御手段により、前記第１のモードによる前記バッテリの充電を開始するステップをさらに具備することを特徴とする請求項６記載の充電制御方法。
【発明の詳細な説明】
【０００１】
【発明の属する技術分野】
本発明は、バッテリを有する電子機器に関する。
【０００２】
【従来の技術】
近年、パーソナルコンピュータなどの携帯型電子機器の小型化に伴ない、モバイル環境において使用されるリチウムイオンバッテリなどの２次バッテリに関する技術が開発されている。
【０００３】
リチウムイオンバッテリは、公知のように、満充電状態、或いはそれに近い充電状態で放置しておくと、バッテリ容量が次第に低下する。特に、高温環境下において放置をした場合には、バッテリ容量の劣化が著しい。また、満充電状態よりも低い充電状態から始める放電サイクル寿命は、満充電状態からの放電サイクル寿命よりも大幅に長くなる。
【０００４】
このような特性を考慮した技術として、スイッチによって、満充電状態までバッテリを充電するモードと、満充電状態よりも低い充電状態までバッテリを充電するモードとを切り替える技術が開示されている（特許文献１参照。）。
【０００５】
【特許文献１】
特開２００２−７８２２２号公報（第６段落、図３）
【０００６】
【発明が解決しようとする課題】
しかしながら、上述の技術では、一旦、スイッチによって、満充電状態よりも低い充電状態までバッテリを充電するモード（第２のモード）から満充電状態までバッテリを充電するモード（第１のモード）に切り替えた場合、再度、スイッチによって切り替えなければ、満充電状態よりも低い充電状態までバッテリを充電するモードへ戻ることはできなかった。
【０００７】
このため、ユーザが、第２のモードから第１のモードに切り替えた後、ユーザが元の第２のモードに切り替えることを忘れた場合には、常に、第１のモードで充電が行なわれるため、バッテリの性能が劣化してしまうという問題があった。
【０００８】
本発明は、上記実情に鑑みてなされたものであり、満充電状態でバッテリを充電するモードを使用しても、満充電状態よりも低い充電状態においてバッテリを充電するモードに自動的に切り替えることにより、バッテリ性能の劣化を防止することができる電子機器を提供することを目的とする。
【０００９】
【課題を解決するための手段】
したがって、上記目的を達成するために、本発明の目的は、バッテリと、前記バッテリを満充電状態にまで充電する第１のモードと、前記バッテリを前記満充電状態よりも低い充電状態まで充電する第２のモードとを有する制御手段と、前記第１のモードにより前記バッテリを満充電状態まで充電したことを検出する手段と、前記バッテリが満充電状態まで充電されたことを検出した場合に、前記制御手段による制御を前記第１のモードから前記第２のモードへ切り替える手段とを具備することを特徴とする電子機器、である。
【００１０】
【発明の実施の形態】
以下、図面を参照して、本発明の実施の形態に係る電子機器について説明する。
【００１１】
図１は、本発明の実施の形態に係るノート型パーソナルコンピュータのバッテリ充電装置及びその周辺回路を示す図である。
【００１２】
図１に示すように、この実施形態のバッテリ充電装置１０は、コネクタＡを介して接続されるＡＣアダプタ１によってバッテリ２を充電するためのものであり、電源マイコン１１、直結充電回路１２、定電流／定電圧充電回路１３、サンプリング部１４ａ〜１４ｂ及び充電モード切替回路５１を備えている。
【００１３】
このコネクタＡを介して接続されるＡＣアダプタ１は、定格電流値で電力を供給し続ける定電流モードと、定格電圧値で電力を供給し続ける定電圧モードとを有しており、印加される電圧値が予め定められた制限値に達するまでは定電流モードで電力を供給し続け、印加される電圧値が予め定められた制限値に達した後は、定電圧モードで電力を供給し続ける。また、ＡＣアダプタ１が供給する電流が定格電流値よりも小さい場合についても定電圧モードとなる。また、コネクタＡは、定格の異なる複数種のＡＣアダプタのＤＣＩＮ端子が差し込まれ得るが、このバッテリ充電装置１０では、定格電流値が３Ａ、定格電圧値が１５ＶのＡＣアダプタを正式にサポートしているものとする。
【００１４】
電源マイコン１１は、このバッテリ充電装置１０全体の制御を司るところであり、後述するサンプリング部１４ａ〜１４ｂによりサンプリングされる各箇所の電流値および電圧値をもとに、充電方法を決定する。また、この電源マイコン１１は、外部電源として有効な状態にあるＡＣアダプタ１がコネクタＡに接続されているかどうか検知する機能をもっている。
【００１５】
また、電源マイコン１１は、電源５２を有しており、この電源５２には、コンピュータの電源がオフの状態においても、ＡＣアダプタ１或いはバッテリ２からの電源が整流器１０４或いは１０５及びレギュレータ１０３を介して供給され、電源マイコン１１は動作可能な状態になっている。
【００１６】
さらに、電源マイコン１１は、Ｉ２Ｃバス１００を介して接続されたＥＣ（Ｅｍｂｅｄｄｅｄ  Ｃｏｎｔｒｏｌｌｅｒ）１０１からの通信コマンド及びＡ／Ｄ入力ポート２２に入力される信号（Ｖ＿ＤＣ、Ｉ＿ＤＣ、Ｖ＿ＢＡＴ１、Ｉ＿ＢＡＴ１）に基づいて、出力ポート２３から制御信号（ＣＱＣＨＧ＃、ＣＣＨＧＯＮ、ＣＢＣＨＧ１＃、ＣＣＨＧＭＤ）を出力する。
【００１７】
電源マイコン１１の出力ポート２３から出力される制御信号ＣＣＨＧＭＤは、通常、ＣＣＨＧＭＤ信号を論理値１に保っており、ＥＣ１０１から満充電ボタン１０６が押下されたこと、或いはシステムからモード切替要求が行なわれたことを示す通信コマンドがＩ２Ｃバス１００を介して入力された場合に、ＣＣＨＧＭＤ信号を理論値０にする。
【００１８】
直結充電回路１２は、ＡＣアダプタ１とメインバッテリ２との間に介在するように設けられるものであり、電源マイコン１１から送出される制御信号（ＣＱＣＨＧ＃）に基づき、ＡＣアダプタ１とバッテリ２とを直結または遮断する。
【００１９】
定電流／定電圧充電回路１３は、直結充電回路１２と同様、ＡＣアダプタ１とバッテリ２との間に介在するように設けられるものであって、かつ、前述した直結充電回路１２と並列になるように設けられるものであり、ＡＣアダプタ１によるバッテリ２の充電が予め定められた範囲内の電流値で実行されるべく機能する。この定電流／定電圧充電回路１３も、一定の電流値で電力を出力し続ける定電流モードと、一定の電圧値で電力を供給し続ける定電圧モードとを有しており、印加される電圧値が予め定められた制限値に達するまでは定電流モードで電力を出力し続け、印加される電圧値が予め定められた制限値に達した後は、定電圧モードで電力を出力し続ける。この定電流／定電圧充電回路１３は、電源マイコン１１から制御信号（ＣＣＨＧＯＨ）が送出されたときに有効に機能するようになっている。
【００２０】
また、定電流／定電圧充電回路１３は、定電圧モードの充電において、充電モード切替回路５１から出力されるフィードバック電圧Ｖ＿ＢＡＴ１＿ＦＢにしたがったモードにおいてバッテリ２の充電を行なう。ここでは、フィードバック電圧Ｖ＿ＢＡＴ１＿ＦＢが基準電圧Ｖｒｅｆに等しくなるように、定電流／定電圧充電回路１３は、定電圧モードの充電制御を実施する。
【００２１】
すなわち、充電モード切替回路５１からモード０（満充電モード）に対応するフィードバック電圧Ｖ＿ＢＡＴ１＿ＦＢ＝Ｖ＿ＢＡＴ１×（Ｒ２´／（Ｒ１´＋Ｒ２´））が出力された場合には、バッテリ２の低電圧モードにおけるバッテリ電圧Ｖ０は、Ｖ＿ＢＡＴ１＿ＦＢ＝Ｖｒｅｆとなるように制御されるため、Ｖ０＝Ｖｒｅｆ×（１＋Ｒ１´／Ｒ２´）となる。
【００２２】
また、充電モード切替回路５１からモード１に対応するフィードバック電圧Ｖ＿ＢＡＴ１＿ＦＢ＝Ｖ＿ＢＡＴ１×（Ｒ２／（Ｒ１＋Ｒ２））が出力された場合には、バッテリ２の低電圧モードにおけるバッテリ電圧Ｖ１は、同様にして、Ｖ１＝Ｖｒｅｆ×（１＋Ｒ１／Ｒ２）となる。
【００２３】
図４は、モード０及びモード１の充電方法を説明するための図である。
【００２４】
モード０（満充電モード）においては、定電流Ｉ０で充電を始め、バッテリ２の電圧がＶ０に達したら定電圧Ｖ０の充電に切り替え、充電電流がＩＥ０に達したら充電を終える。モード１（満充電より低い充電モード）においては、定電流Ｉ１で充電を始め、バッテリ電圧がＶ１に達したら定充電電圧に切り替えて、充電電流がＩＥ１に達したら充電を終える。また、この時、電源マイコン１１は、ＣＣＨＧＭＤ信号を理論値０から理論値１に戻すことにより、充電モードをモード０からモード１に戻す。なお、ここで、Ｉ０＝Ｉ１、ＩＥ０＝ＩＥ１とするのが望ましく、Ｖ０＞Ｖ１である。また、電源マイコン１１は通常、理論値１を出力する。
【００２５】
これにより、ユーザがモードを元に戻すのを忘れても、自動的に元の充電モードに戻るので、不注意によるバッテリの消耗を防止することができる。
【００２６】
この直結充電回路１２および定電流／定電圧充電回路１３は、直結充電回路１２がＡＣアダプタ１とバッテリ２とを直結している際、定電流／定電圧充電回路１３の機能が無効となるように、また、直結充電回路１２がＡＣアダプタ１とバッテリ２との間を遮断している際、定電流／定電圧充電回路１３の機能が有効となるように電源マイコン１１によって制御されるが、初期状態では、直結充電回路１２がＡＣアダプタ１とバッテリ２とを直結し、定電流／定電圧充電回路１３の機能が無効となっている。
【００２７】
サンプリング部１４ａ、１４ｂは、サンプリング対象となる箇所の電流値や電圧値を検出して電源マイコン１１に通知するためのものであり、具体的には、サンプリング部１４ａは、ＡＣアダプタ１の定格電流値を検出するため、サンプリング部１４ｂは、バッテリ２の実充電容量を積算するために設けられるものである。
【００２８】
充電モード切替回路５１は、電源マイコン１１から出力されるＣＣＨＧＭＤの理論値に基づいて、所定のフィードバック電圧Ｖ＿ＢＡＴ１＿ＦＢを出力する。具体的には、バッテリ２の実充電電圧Ｖ＿ＢＡＴ１の２つの異なる分圧電圧が、ＣＣＨＧＭＤの理論値に基づいて、スイッチ３１によって切り替えられる。
【００２９】
図２は、モードとモード切替回路５１の各部における値との関係を示す図である。同図に示すように、ＣＣＧＭＤ信号の理論値が”０”の場合には、モード０であり、入力はバッテリ２の実電圧Ｖ＿ＢＡＴ１、モード切替回路５１の出力であるフィードバック電圧Ｖ＿ＢＡＴ１＿ＦＢはＶ＿ＢＡＴ１（＝Ｖ０×Ｒ２´／（Ｒ１´＋Ｒ２´））、バッテリの定電圧モードにおける充電電圧はＶ０となる。
【００３０】
また、ＣＣＧＭＤ信号の理論値が”１”の場合には、モード１であり、入力はバッテリ２の実電圧Ｖ＿ＢＡＴ１、モード切替回路５１の出力であるフィードバック電圧Ｖ＿ＢＡＴ１＿ＦＢはＶ＿ＢＡＴ１（＝Ｖ０×Ｒ２／（Ｒ１＋Ｒ２））、バッテリの定電圧モードにおける充電電圧はＶ１となる。ここで、Ｖ０＞Ｖ１である。
【００３１】
本発明の実施の形態においては、バッテリ２の充電容量は、バッテリの充電効率を１００％と考えれば、図５に示した横軸Ｉ、縦軸ｔのグラフの面積で表わされる。モード１の場合、この面積（斜線部）が、モード０の場合の面積の８５％となるように設定される。
【００３２】
ＥＣ１０１は、電源１０２を有しており、この電源１０２には、コンピュータの電源がオフの状態においても、ＡＣアダプタ１或いはバッテリ２からの電源が整流器１０４或いは１０５及びレギュレータ１０３を介して供給され、ＥＣ１０１は動作可能な状態になっている。
【００３３】
ＥＣ１０１は、満充電ボタン１０６が押された旨のイベント及びシステムからのモードに関するイベントを電源マイコン１１に通知する。また、ＥＣ１０１は、内部バス２０１に接続されている。
【００３４】
内部バス２０１には、ＣＰＵ２０２、メモリ２０３、ＨＤＤ（ハードディスクドライブ）２０４及びＤＳＣ（ディスプレイコントローラ）２０５が接続されている。ＤＳＣ２０５には、ＬＣＤ（液晶ディスプレイ）２０６、ＶＲＡＭ（ビデオラム）２０７及びサブＬＣＤ（サブ液晶ディスプレイ）２０８が接続されている。
【００３５】
ＣＰＵ２０２は、ノート型パーソナルコンピュータ全体の制御を司るものであり、本発明の実施の形態に係る電源制御プログラムを実行することにより、バッテリ２の制御を行なう。
【００３６】
メモリ２０３は、データの格納及びアプリケーションプログラムの作業用領域として使用される。
【００３７】
ＨＤＤ２０４は、本発明の実施の形態に係る電源制御プログラム２０４ａの他、種々のアプリケーションプログラムなどを格納する。
【００３８】
ディスプレイコントローラ（ＤＳＣ）２０５は、ＬＣＤ２０６及びサブＬＣＤ２０８の表示全体の制御を司るものである。ＶＲＡＭ２０７はＤＳＣ２０５の表示処理に使用されるメモリである。
【００３９】
図３は、満充電ボタン１０６、サブＬＣＤ２０８及びＬＣＤ２０６の取り付け位置を示す図である。同図に示すように、本発明の実施の形態に係る満充電ボタン１０６は、ノート型パーソナルコンピュータの筐体表面に設けられており、ＬＣＤ２０６を閉じた状態においても操作可能である。
【００４０】
次に、本発明の実施の形態に係るパーソナルコンピュータの動作について説明する。
【００４１】
まず、最初に、パーソナルコンピュータの電源がオフの状態において、満充電ボタンが押下される場合の処理について、図７のフローチャートを参照して説明する。初期の状態はモード１であるとする。
【００４２】
最初に、満充電ボタンが押下されているか否かの判断が行なわれる（Ｓ１）。ここで、上述のように、ＥＣ１０１及び電源マイコン１１には、ノート型パーソナルコンピュータの電源がオフの状態であっても、電源が供給されるので、このような処理が可能になる。
【００４３】
Ｓ１において、満充電ボタンが押下されたと判断された場合には、モード１からモード０（満充電モード）に移行する。具体的には、電源マイコン１１がＥＣ１０１から出力される満充電ボタン１０６が押下されたことを示す制御信号に基づいて、ＣＣＨＧＭＤ信号を理論値「１」から理論値「０」にして、定電流／定電圧充電回路１３による充電方法をモード１からモード０に切り替える（Ｓ２）。
【００４４】
その結果、バッテリ２は、満充電状態まで充電が行なわる。Ｓ３においては、バッテリ２が満充電状態にあるか否かの判断が行なわれ、満充電状態にあると判断された場合には、モード０（満充電モード）からモード１へ移行する（Ｓ４）。
【００４５】
具体的には、電源マイコン１１は満充電状態が検出されると、ＣＣＨＧＭＤ信号を理論値「０」から理論値「１」にして、定電流／定電圧充電回路１３による充電方法をモード０からモード１に切り替える。これにより、ユーザが誤って、満充電ボタンを押してしまった場合などでも、モード０からモード１に自動的に戻るので、バッテリが劣化するのを防止することができる。
【００４６】
次に、パーソナルコンピュータの電源がオンの状態において、ソフトウェアにより、バッテリ２の充電方法を変更する場合について説明する。
【００４７】
本発明の実施の形態においては、電源制御プログラム２０４ａにより、図９に示すような充電モードを選択するための画面を表示するものとする。
【００４８】
例えば、図９に示す画面において、「満充電モード」を選択すると、電源マイコンは、信号ＣＣＨＧＭＤを理論値０として、定電流／定電圧充電回路１３をモード０で働かせる。この「満充電モード」は、次にユーザが設定しなおすまでは変わらない。ここで、満充電モードが選択されている場合には、ユーザが満充電ボタンを押しても、充電のモードは変わらない。
【００４９】
また、図９に示す画面において、「ロングライフモード」を選択すると、電源マイコンは、信号ＣＣＨＧＭＤを理論値１として、定電流／定電圧充電回路１３をモード１で働かせる。この「ロングライフモード」についても同様に、次にユーザが設定しなおすまでは変わらない。但し、「ロングライフモード」を選択している場合、図７のフローチャートチャートで説明したように、満充電ボタンを押すことにより、モード１からモード０（満充電モード）へ切り替え、満充電状態を検出した時点でモード０からモード１へ戻す処理が行なわれる。また、図９に示す画面において、「満充電」のアイコンをクリックすることでも、満充電ボタンを押したと同様の処理を実施する。
【００５０】
以下、ソフトウェアによりバッテリの満充電を行なう方法について、図８のフローチャートを参照して説明する。
【００５１】
まず、最初に、ユーザによりロングライフモードが選択されているか否かの判断が行なわれる（Ｓ１１）。Ｓ１１において、満充電モードが選択されたと判断した場合、モード０（満充電モード）が設定される（Ｓ１３）。
【００５２】
具体的には、ＥＣ１０１から電源マイコン１１へＩ２Ｃバスを経由して送信された「満充電モード」を指示する通信コマンドに基づいて、ＣＣＨＧＭＤ信号を理論値０にすることにより、定電流／定電圧充電回路１３による充電方法はモード０となる。
【００５３】
Ｓ１１において、ロングライフモードが選択されたと判断した場合には、モード１が設定される（Ｓ１２）。具体的には、ＥＣ１０１から電源マイコン１１へＩ２Ｃバスを経由して送信された「ロングライフモード」を指示する通信コマンドに基づいて、ＣＣＨＧＭＤ信号を理論値１にすることにより、定電流／定電圧充電回路１３による充電方法はモード１となる。
【００５４】
さらに、ロングライフモードが選択された場合、満充電ボタンが押されたか（Ｓ１４）及び画面上の「満充電」アイコンがクリックされたか（Ｓ１５）の判定を実施する。もしいずれか一方の条件が成立した場合、ＥＣ１０１から電源マイコン１１へＩ２Ｃバスを経由して送信される「満充電モード切り替え」の通信コマンドにより、定電流／定電圧充電回路１３による充電方法をモード１からモード０へ切り替える（Ｓ１６）。
【００５５】
その結果、バッテリ２は満充電状態まで充電が行なわれる。Ｓ１７においては、バッテリ２が満充電状態にあるか否かの判断が行なわれ、満充電状態にあると判断された場合には、モード０（満充電モード）からモード１へ移行する（Ｓ１８）。
【００５６】
具体的には、電源マイコン１１は満充電状態が検出されると、ＣＣＨＧＭＤ信号を理論値「０」から理論値「１」にして、定電流／定電圧充電回路１３による充電方法をモード０からモード１に切り替える。これにより、ユーザが誤って、満充電ボタンを押してしまった場合などでも、モード０からモード１に自動的に戻るので、バッテリが劣化するのを防止することができる。
【００５７】
なお、上述の実施の形態において、電源制御プログラムはバッテリ２の残存量の表示を行なうが、このバッテリ２の残存量の表示は、モード０においてもモード１の充電完了時の蓄電量を１００％として計算する。その結果、バッテリ残量の表示は、例えば、図６に示すように、１００％よりも大きい値として表示され、ユーザが満充電ボタンを押した場合及びロングライフモードを選択した場合の効果をユーザにわかりやすく伝えることができる。
【００５８】
また、ユーザの用途によっては、例えば、毎日コンピュータを携行して外出するような使い方もある。このような場合のために、モード０に強制する手段を設けた。
【００５９】
例えば、図９に示す画面において、「満充電モード」を選択すると、電源マイコンは、信号ＣＣＨＧＭＤを理論値０として、定電流／定電圧充電回路１３をモード０で働かせる。この「満充電モード」は、次に、ユーザが設定しなおすまでは変わらない。ここで、満充電モードが選択されている場合に、ユーザが満充電ボタンを押しても、充電が開始されるだけでモードは変わらない。
【００６０】
また、誤ってバッテリを満充電状態にしてしまうことを防止するために、満充電ボタンを無効化する手段を設けてもよい。
【００６１】
なお、本願発明は、上記各実施形態に限定されるものでなく、実施段階ではその要旨を逸脱しない範囲で種々に変形することが可能である。
【００６２】
【発明の効果】
以上詳記したように、本発明によれば、満充電状態でバッテリを充電するモードを使用しても、満充電状態よりも低い充電状態においてバッテリを充電するモードに自動的に切り替えることにより、バッテリ性能の劣化を防止することができる。
【図面の簡単な説明】
【図１】本発明の実施の形態に係るノート型パーソナルコンピュータのバッテリ充電装置及びその周辺回路を示す図である。
【図２】モードとモード切替回路５１の各部における値との関係を示す図である。
【図３】満充電ボタン１０６、サブＬＣＤ２０８及びＬＣＤ２０６の取り付け位置を示す図である。
【図４】モード０及びモード１の充電方法を説明するための図である。
【図５】モード０及びモード１の充電方法を説明するための図である。
【図６】バッテリ残量の表示を示す図である。
【図７】パーソナルコンピュータの電源がオフの状態において、満充電ボタンが押下される場合の処理を説明するためのフローチャートである。
【図８】ソフトウェアによりバッテリの満充電を行なう方法について説明するためのフローチャートである。
【図９】ソフトウェアにより充電モードを選択するための画面を示す図である。
【符号の説明】
１…ＡＣアダプタ、
２…バッテリ、
１２…直結充電回路
１３…定電流／定電圧充電回路、
１４ａ，１４ｂ…サンプリング部、
２２…Ａ／Ｄ入力ポート、
２３…出力ポート、
３１…スイッチ、
５１…充電モード切替回路、
５２，１０２…電源、
１０１…ＥＣ，
１０３…レギュレータ、
１０４，１０５…整流器、
１０６…満充電ボタン、
２０１…内部バス、
２０２…ＣＰＵ、
２０３…メモリ、
２０４…ＨＤＤ，
２０４ａ…電源制御プログラム、
２０５…ディスプレイコントローラ（ＤＳＣ）、
２０６…ＬＣＤ、
２０７…ＶＲＡＭ、
２０８…サブＬＣＤ。
【図１】
2004159382.tif 000003
【図２】
2004159382.tif 000004
【図３】
2004159382.tif 000005
【図４】
2004159382.tif 000006
【図５】
2004159382.tif 000007
【図６】
2004159382.tif 000008
【図７】
2004159382.tif 000009
【図８】
2004159382.tif 000010
【図９】
2004159382.tif 000011